(57)【要約】【課題】減圧弁の交換が容易な減圧弁ユニットを提供すること。【解決手段】減圧弁ユニット３は、流入管２１および当該流入管２１と同軸の流出管２２を備える減圧弁２と、流入管２１および流出管２２の管軸方向Ｘにおいて、減圧弁２を流通する流体の流通方向Ｓの上流側に配置された止水栓２４と、管軸方向Ｘにおいて、流通方向Ｓの下流側に配置された逆止弁２５と、止水栓２４および逆止弁２５が固定されたベース部材２６と、を有し、減圧弁２は、圧着固定機構２７により、止水栓２４と逆止弁２５との間に着脱可能に固定されていることを特徴とする。【選択図】図３
2020035298.tif 000002
【特許請求の範囲】
【請求項１】
流入管および当該流入管と同軸の流出管を備える減圧弁と、
前記流入管および前記流出管の管軸方向において、前記減圧弁を流通する流体の流通方向の上流側に配置された止水栓と、
前記管軸方向において、前記流通方向の下流側に配置された逆止弁と、
前記止水栓および前記逆止弁が固定されたベース部材と、を有し、
前記減圧弁は、圧着固定機構により、前記止水栓と前記逆止弁との間に着脱可能に固定されていることを特徴とする減圧弁ユニット。
【請求項２】
前記管軸方向で、前記逆止弁の前記流通方向の下流側に接続された管継手を備え、
前記管継手は、前記管軸方向と交差する方向に湾曲していることを特徴とする請求項１に記載の減圧弁ユニット。
【請求項３】
前記圧着固定機構は、前記止水栓の弁箱から前記管軸方向に延びる接続管と、前記管軸方向に移動可能な状態で前記接続管に同軸に支持されて当該接続管に連通する移動管と、前記移動管を前記管軸方向で前記減圧弁に接近する方向および離間する方向に進退させる移動管移動機構と、を備え、
前記移動管は、前記管軸方向から前記流入管に当接可能であることを特徴とする請求項１または２に記載の減圧弁ユニット。
【請求項４】
前記減圧弁は、前記流入管と前記流出管とを接続する内部流路を備えるハウジングと、前記内部流路における前記流通方向の途中で前記管軸方向と直交する直交方向の一方側を向く環状の弁座と、前記直交方向から見た場合に前記弁座と重なる位置に配置され、前記内部流路において前記弁座よりも前記流通方向の下流側に位置する下流側流路部分の壁面の一部分を構成するダイアフラムと、を有し、
前記ダイアフラムは、前記直交方向から見た場合の輪郭形状が円形であり、外周縁が前記ハウジングによって保持され、中央部分が前記内部流路における前記弁座よりも下流側の流体の圧力に応じて前記直交方向に変位し、
前記ベース部材は、前記止水栓、前記減圧弁、および前記逆止弁の前記直交方向の一方側を前記管軸方向に延びていることを特徴とする請求項１から３うちのいずれか一項に記載の減圧弁ユニット。
【請求項５】
前記管軸方向および前記直交方向と直交する幅方向において、前記止水栓の幅寸法、前記逆止弁の幅寸法、および前記ベース部材の幅寸法は、前記ハウジングにおいて前記ダイアフラムを内周側に保持するハウジング部分の幅寸法以下であり、
前記ベース部材は、前記直交方向から見た場合に、前記止水栓、前記逆止弁、および前記減圧弁と重なっていることを特徴とする請求項４に記載の減圧弁ユニット。
【請求項６】
前記ベース部材は、前記管軸方向に延びて前記止水栓および前記逆止弁が固定された取付部と、前記取付部の前記管軸方向の一方の端から外周側に広がる設置部と、を備え、
前記設置部は、前記取付部とは反対側の端面が前記管軸と垂直な設置面とされていることを特徴とする請求項１から５のうちのいずれか一項に記載の減圧弁ユニット。
【請求項７】
請求項４に記載の減圧弁ユニットと、
前記減圧弁ユニットを設置するためのユニット設置部材と、を有し、
前記ユニット設置部材は、設置面を備えるユニット設置部と、前記ユニット設置部の前記設置面とは反対側から当該設置面と垂直な方向に延びるユニット取付部と、を備え、
前記減圧弁ユニットは、前記ベース部材が前記ユニット取付部に固定され、前記管軸方向を前記ユニット取付部の延設方向に向けることを特徴とする減圧弁ユニットセット。
【請求項８】
前記ベース部材は、ネジ固定機構により、前記ユニット取付部に固定され、
前記ネジ固定機構は、前記ベース部材に設けられた貫通部、前記ユニット取付部に設けられた穴部、前記貫通部および穴部を貫通して延びる軸部を備えるボルト、および、前記軸部に螺合して前記ベースにおける前記貫通部の開口縁と前記ユニット取付部における前記穴部の開口縁とを前記ボルトの頭部との間に挟むナット、を備えることを特徴とする請求項７に記載の減圧弁ユニットセット。
【請求項９】
前記穴部は、前記ユニット取付部の延設方向に延びる長穴であることを特徴とする請求項８に記載の減圧弁ユニットセット。
【請求項１０】
前記減圧弁ユニットを前記ユニット設置部材に固定した状態では、前記管軸方向および直交方向と直交する幅方向における、前記止水栓の幅寸法、前記逆止弁の幅寸法、前記ベース部材の幅寸法、および、前記ユニット取付部の幅寸法は、前記ハウジングにおいて前記ダイアフラムを内周側に保持するハウジング部分の幅寸法以下であり、
前記ユニット取付部は、前記直交方向から見た場合に、前記止水栓、前記逆止弁、前記減圧弁、および前記ベース部材と重なっていることを特徴とする請求項７から９のうちのいずれか一項に記載の減圧弁ユニットセット。
【請求項１１】
第１減圧弁ユニットおよび第２減圧弁ユニットと、
前記第１減圧弁ユニットおよび前記第２減圧弁ユニットを設置するためのユニット設置部材と、を有し、
前記第１減圧弁ユニットおよび前記第２減圧弁ユニットは、それぞれ請求項１から５のうちのいずれか一項に記載の減圧弁ユニットであり、
前記ユニット設置部材は、設置面を備えるユニット設置部と、前記ユニット設置部の前記設置面とは反対側から当該設置面と垂直な方向に延びるユニット取付部と、を備え、
前記第１減圧弁ユニットは、前記ベース部材が前記ユニット取付部に固定されて当該第１減圧弁ユニットの前記管軸方向を当該ユニット取付部の延設方向に向け、
前記第２減圧弁ユニットは、前記ベース部材が前記ユニット取付部において前記延設方向で前記第１減圧弁ユニットとは異なる位置に固定されて当該第２減圧弁ユニットの前記管軸方向を当該ユニット取付部の延設方向に向けることを特徴とする減圧弁ユニットセット。
【請求項１２】
第１減圧弁ユニットおよび第２減圧弁ユニットと、
前記第１減圧弁ユニットおよび前記第２減圧弁ユニットを設置するためのユニット設置部材と、を有し、
前記第１減圧弁ユニットおよび前記第２減圧弁ユニットは、それぞれ請求項１から５のうちのいずれか一項に記載の減圧弁ユニットであり、
前記ユニット設置部材は、設置面を備えるユニット設置部と、前記ユニット設置部の前記設置面とは反対側から当該設置面と垂直な方向に延びるユニット取付部と、を備え、
前記ユニット取付部は、前記ユニット設置部から前記設置面と垂直な方向に延びる第１取付板部分と、前記第１取付板部分の隣りで前記ユニット設置部から当該第１取付板部分に沿って延びており、前記第１取付板部分の側の端が当該第１取付板部分に連続する第２取付板部分とを備え、
前記第１取付板部分の厚み方向と前記第２取付板部分の厚み方向とは、交差しており、
前記第１減圧弁ユニットは、前記ベース部材が前記第１取付板部分に固定されて当該第１減圧弁ユニットの前記管軸方向を前記ユニット取付部の延設方向に向けており、
前記第２減圧弁ユニットは、前記ベース部材が前記第２取付板部分に固定されて当該第２減圧弁ユニットの前記管軸方向を前記ユニット取付部の延設方向に向けることを特徴とする減圧弁ユニットセット。
【発明の詳細な説明】
【技術分野】
【０００１】
本発明は、減圧弁を備える減圧弁ユニットに関する。また、減圧弁ユニットを設置するための減圧弁ユニットセットに関する。
【背景技術】
【０００２】
高層ホテルでは、最上階の各客室の水道で水圧を確保しようとすると、低い階の各客室の水道において水圧が高くなりすぎる。従って、各客室に延びる水道用の配管の途中に必要に応じて減圧弁を設置して、各階の各客室の水道が所定の水圧となるように調節する。特許文献１には、このような場合に用いられる減圧弁が記載されている。
【０００３】
特許文献１の減圧弁は、流入管、流入管と同軸の流出管、および流入管と流出管とを接続する内部流路を備えるハウジングを有する。内部流路の途中には、環状の弁座が設けられている。また、減圧弁は、ハウジングの内部に、内部流路における弁座よりも下流側の圧力に応じて変位するダイアフラムと、ステムを介してダイアフラムに固定された弁体と、を備える。弁体は、ダイアフラムの変位に伴って、弁座に接近する方向および離間する方向に移動して、弁座との間の距離を変化させる。これにより、減圧弁は、減圧弁を通過する流体の圧力を所定の圧力に調節する。
【０００４】
同文献では、減圧弁は、配管を構成する止水栓とエルボとの間に設置されている。減圧弁は、流入管に袋ナットを備えており、止水栓と減圧弁とは袋ナットにより締結される。また、エルボは減圧弁の側の管継手部分に袋ナットを備えており、減圧弁とエルボとは袋ナットにより締結される。
【先行技術文献】
【特許文献】
【０００５】
【特許文献１】特開２００５−３１４９８２号公報
【発明の概要】
【発明が解決しようとする課題】
【０００６】
減圧弁のダイアフラムは、客室の水道が使用される毎に変位する。従って、ダイアフラムには頻繁に負荷がかかる。よって、減圧弁は、ダイアフラムの損傷により、故障する場合がある。
【０００７】
ここで、減圧弁と当該減圧弁の上流側の配管とが袋ナットで締結されている場合、或いは、減圧弁と当該減圧弁の下流側の配管とが袋ナットで締結されている場合には、減圧弁を交換する際に、これらの締結の解除が容易ではない。また、減圧弁を配管から取り外す際には、減圧弁の上流側の配管および下流側の配管が不安定になるので、減圧弁を交換する交換作業の作業性が良くない。
【０００８】
本発明の課題は、このような点に鑑みて、減圧弁の交換が容易な減圧弁ユニットおよび減圧弁ユニットを備える減圧弁ユニットセットを提案することにある。
【課題を解決するための手段】
【０００９】
上記課題を解決するために、本発明の減圧弁ユニットは、流入管および当該流入管と同軸の流出管を備える減圧弁と、前記流入管および前記流出管の管軸方向において、前記減圧弁を流通する流体の流通方向の上流側に配置された止水栓と、前記管軸方向において、前記流通方向の下流側に配置された逆止弁と、前記止水栓および前記逆止弁が固定された
ベース部材と、を有し、前記減圧弁は、圧着固定機構により、前記止水栓と前記逆止弁との間に着脱可能に固定されていることを特徴とする。
【００１０】
本発明によれば、配管の途中に減圧弁を設置するのに替えて、減圧弁ユニットを設置できる。ここで、減圧弁ユニットでは、減圧弁は、ベース部材に固定された止水栓と逆止弁との間で着脱可能とされている。従って、減圧弁を減圧弁ユニットから取り外した場合でも、止水栓に接続された上流側の配管が不安定になることはなく、逆止弁に接続された下流側の配管が不安定になることもない。また、減圧弁は、圧着固定機構により、止水栓と前記逆止弁との間に着脱可能に固定されている。圧着固定機構によれば、減圧弁が袋ナットを用いて止水栓および逆止弁に締結されている場合と比較して、これらの締結を解除することが容易である。よって、減圧弁の交換が容易である。ここで、減圧弁ユニットは、減圧弁の上流側に止水栓を備えるので、交換時に止水栓を閉じれば、上流側からの水が飛散することがない。また、減圧弁ユニットは減圧弁の下流側に逆止弁を備えるので、減圧弁を取り外したときに、下流側からの水が飛散することがない。
【００１１】
本発明において、前記管軸方向で、前記逆止弁の前記流通方向の下流側に接続された管継手を備え、前記管継手は、前記管軸方向と交差する方向に湾曲しているものとできる。このようにすれば、減圧弁ユニットを経由する配管の方向を曲げることができる。
【００１２】
本発明において、前記圧着固定機構は、前記止水栓の弁箱から前記管軸方向に延びる接続管と、前記管軸方向に移動可能な状態で前記接続管に同軸に支持されて当該接続管に連通する移動管と、前記移動管を前記管軸方向で前記減圧弁に接近する方向および離間する方向に進退させる移動管移動機構と、を備え、前記移動管は、前記管軸方向から前記流入管に当接可能である。
【００１３】
本発明において、前記減圧弁は、前記流入管と前記流出管とを接続する内部流路を備えるハウジングと、前記内部流路における前記流通方向の途中で前記管軸方向と直交する直交方向の一方側を向く環状の弁座と、前記直交方向から見た場合に前記弁座と重なる位置に配置され、前記内部流路において前記弁座よりも前記流通方向の下流側に位置する下流側流路部分の壁面の一部分を構成するダイアフラムと、を有し、前記ダイアフラムは、前記直交方向から見た場合の輪郭形状が円形であり、外周縁が前記ハウジングによって保持され、中央部分が前記内部流路における前記弁座よりも下流側の流体の圧力に応じて前記直交方向に変位し、前記ベース部材は、前記止水栓、前記減圧弁、および前記逆止弁の前記直交方向の一方側を前記管軸方向に延びているものとできる。減圧弁のダイアフラムは、下流側流路部分の圧力の変動に応じて変位できるように、径方向に大きな部材である。従って、ベース部材をダイアフラムの径方向の外側に配置した場合には、減圧弁ユニットが大型化してしまう。これに対して、ベース部材をダイアフラムの径方向と交差する直交方向に配置すれば、減圧弁ユニットをコンパクトにできる。
【００１４】
本発明において、前記管軸方向および前記直交方向と直交する幅方向において、前記止水栓の幅寸法、前記逆止弁の幅寸法、および前記ベース部材の幅寸法は、前記ハウジングにおいて前記ダイアフラムを内周側に保持するハウジング部分の幅寸法以下であり、前記ベース部材は、前記直交方向から見た場合に、前記止水栓、前記逆止弁、および前記減圧弁と重なっているものとできる。このようにすれば、減圧弁ユニットを、幅方向で、コンパクトにできる。
【００１５】
本発明において、前記ベース部材は、前記管軸方向に延びて前記止水栓および前記逆止弁が固定された取付部と、前記取付部の前記管軸方向の一方の端から外周側に広がる設置部と、を備え、前記設置部は、前記取付部とは反対側の端面が前記管軸と垂直な設置面とされているものとできる。このようにすれば、設置面をホテルなどの建物の床面に当接さ
せて設置部材を設置することにより、減圧弁ユニットを建物に設置できる。また、止水栓、減圧弁および逆止弁を上下方向に配列した姿勢で、減圧弁ユニットを設置できる。従って、減圧弁ユニットの設置スペースを抑制できる。
【００１６】
次に、本発明の減圧弁ユニットセットは、上記の減圧弁ユニットと、前記減圧弁ユニットを設置するためのユニット設置部材と、を有し、前記ユニット設置部材は、設置面を備えるユニット設置部と、前記ユニット設置部の前記設置面とは反対側から当該設置面と垂直な方向に延びるユニット取付部と、を備え、前記減圧弁ユニットは、前記ベース部材が前記ユニット取付部に固定され、前記管軸方向を前記ユニット取付部の延設方向に向けることを特徴とする。
【００１７】
本発明によれば、ホテルなどの建物の床面に設置面を当接させてユニット設置部材を設置して、ユニット取付部に減圧弁ユニットを固定することにより、減圧弁ユニットを設置できる。或いは、ユニット取付部に減圧弁ユニットを固定して、ユニット取付部を建物に設置することにより、減圧弁ユニットを設置できる。従って、減圧弁ユニットの設置が容易である。また、減圧弁ユニットを設置した状態では、止水栓、減圧弁および逆止弁が上下方向に配列される。従って、減圧弁ユニットの設置スペースを抑制できる。
【００１８】
本発明において、前記ベース部材は、ネジ固定機構により、前記ユニット取付部に固定され、前記ネジ固定機構は、前記ベース部材に設けられた貫通部、前記ユニット取付部に設けられた穴部、前記貫通部および穴部を貫通して延びる軸部を備えるボルト、および、前記軸部に螺合して前記ベースにおける前記貫通部の開口縁と前記ユニット取付部における前記穴部の開口縁とを前記ボルトの頭部との間に挟むナット、を備えるものとできる。このようにすれば、減圧弁ユニットをユニット設置部材に固定することが容易である。
【００１９】
本発明において、前記穴部は、前記ユニット取付部の延設方向に延びる長穴であることが望ましい。このようにすれば、ネジ固定機構による減圧弁ユニットの固定位置を、長穴の範囲で移動させることができる。
【００２０】
本発明において、前記減圧弁ユニットを前記ユニット設置部材に固定した状態では、前記管軸方向および直交方向と直交する幅方向における、前記止水栓の幅寸法、前記逆止弁の幅寸法、前記ベース部材の幅寸法、および、前記ユニット取付部の幅寸法は、前記ハウジングにおいて前記ダイアフラムを内周側に保持するハウジング部分の幅寸法以下であり、前記ユニット取付部は、前記直交方向から見た場合に、前記止水栓、前記逆止弁、前記減圧弁、および前記ベース部材と重なっているものとできる。このようにすれば、減圧弁ユニットをユニット取付部材に固定した状態でユニット取付部材を設置したときに、減圧弁ユニットおよびユニット取付部材が占有する空間を小さくできる。
【００２１】
本発明において、第１減圧弁ユニットおよび第２減圧弁ユニットと、前記第１減圧弁ユニットおよび前記第２減圧弁ユニットを設置するためのユニット設置部材と、を有し、前記第１減圧弁ユニットおよび前記第２減圧弁ユニットは、それぞれ上記の減圧弁ユニットであり、前記ユニット設置部材は、設置面を備えるユニット設置部と、前記ユニット設置部の前記設置面とは反対側から当該設置面と垂直な方向に延びるユニット取付部と、を備え、前記第１減圧弁ユニットは、前記ベース部材が前記ユニット取付部に固定されて当該第１減圧弁ユニットの前記管軸方向を当該ユニット取付部の延設方向に向け、前記第２減圧弁ユニットは、前記ベース部材が前記ユニット取付部において前記延設方向で前記第１減圧弁ユニットとは異なる位置に固定されて当該第２減圧弁ユニットの前記管軸方向を当該ユニット取付部の延設方向に向けるものとできる。このようにすれば、２つの減圧弁ユニットを管軸方向に配列した状態で設置できるので、これらの設置スペースを抑制できる。
【００２２】
本発明において、第１減圧弁ユニットおよび第２減圧弁ユニットと、前記第１減圧弁ユニットおよび前記第２減圧弁ユニットを設置するためのユニット設置部材と、を有し、前記第１減圧弁ユニットおよび前記第２減圧弁ユニットは、それぞれ上記の減圧弁ユニットであり、前記ユニット設置部材は、設置面を備えるユニット設置部と、前記ユニット設置部の前記設置面とは反対側から当該設置面と垂直な方向に延びるユニット取付部と、を備え、前記ユニット取付部は、前記ユニット設置部から前記設置面と垂直な方向に延びる第１取付板部分と、前記第１取付板部分の隣りで前記ユニット設置部から当該第１取付板部分に沿って延びており、前記第１取付板部分の側の端が当該第１取付板部分に連続する第２取付板部分とを備え、前記第１取付板部分の厚み方向と前記第２取付板部分の厚み方向とは、交差しており、前記第１減圧弁ユニットは、前記ベース部材が前記第１取付板部分に固定されて当該第１減圧弁ユニットの前記管軸方向を前記ユニット取付部の延設方向に向けており、前記第２減圧弁ユニットは、前記ベース部材が前記第２取付板部分に固定されて当該第２減圧弁ユニットの前記管軸方向を前記ユニット取付部の延設方向に向けるものとできる。このようにすれば、第１減圧弁ユニットと第２減圧弁ユニットとが、互いに交差する方向を向く第１取付板部分および第２取付板部分に固定される。従って、２つの減圧弁ユニットを並列に設置する際に、それらが占有する空間を小さくできる。
【発明の効果】
【００２３】
本発明の減圧弁ユニットでは、減圧弁は、ベース部材に固定された止水栓と逆止弁との間で着脱可能とされている。従って、減圧弁を減圧弁ユニットから取り外した場合でも、止水栓に接続された上流側の配管が不安定になることはなく、逆止弁に接続された下流側の配管が不安定になることもない。また、減圧弁は、圧着固定機構により、止水栓と前記逆止弁との間に着脱可能に固定されている。圧着固定機構によれば、減圧弁の着脱が容易である。さらに、減圧弁ユニットは、減圧弁の上流側に止水栓を備えるので、交換時に止水栓を閉じれば、上流側からの水が飛散することがない。また、減圧弁ユニットは減圧弁の下流側に逆止弁を備えるので、減圧弁を取り外したときに、下流側からの水が飛散することがない。
【００２４】
また、本発明の減圧弁ユニットセットによれば、ホテルなどの建物の床面に設置面を当接させてユニット設置部材を設置して、ユニット取付部に減圧弁ユニットを固定することにより、減圧弁ユニットを設置できる。或いは、ユニット取付部に減圧弁ユニットを固定して、ユニット取付部を建物に設置することにより、減圧弁ユニットを設置できる。従って、減圧弁ユニットの設置が容易である。また、減圧弁ユニットを設置した状態では、止水栓、減圧弁および逆止弁が上下方向に配列される。従って、減圧弁ユニットの設置スペースを抑制できる。
【図面の簡単な説明】
【００２５】
【図１】減圧弁ユニットセットの側面図である。
【図２】ユニット設置部材の説明図である。
【図３】減圧弁ユニットの断面図である。
【図４】変形例１の減圧弁ユニットセットの説明図である。
【図５】変形例２の減圧弁ユニットセットの説明図である。
【図６】変形例の減圧弁ユニットの説明図である。
【図７】変形例の減圧弁ユニットのベース部材の説明である。
【発明を実施するための形態】
【００２６】
以下に、図面を参照して、本発明の実施の形態である減圧弁ユニットセットおよび減圧弁ユニットを説明する。
【００２７】
（減圧弁ユニットセット）
図１（ａ）は、減圧弁ユニットセットを減圧弁ユニットの側から見た場合の側面図である。図１（ｂ）は、減圧弁ユニットセットを図１（ａ）と直交する方向から見た場合の側面図である。減圧弁ユニットセット１は、減圧弁２を備える減圧弁ユニット３と、減圧弁ユニット３を設置するためのユニット設置部材４と、を備える。
【００２８】
減圧弁ユニットセット１は、高層ホテルにおいて各客室の水道に水を供給する給水系の配管の途中に減圧弁ユニット３を設置するために用いられる。すなわち、高層ホテルの給水系は、各階に水を配送する図示しない本管と、各階において本管から分岐して各客室に向かって延びる複数の分岐配管６とを有する。このような給水系では、最上階の各客室の水道で水圧を確保しようとすると、低い階の各客室の水道では水圧が高くなりすぎる。従って、各階の各分岐配管６の途中に減圧弁ユニット３を設置して、各客室の水道の水圧を所定の圧力に調節する。
【００２９】
（ユニット設置部材）
図２はユニット設置部材の説明図である。図２（ａ）、図２（ｂ）に示すように、ユニット設置部材４は、設置面１１ａを備えるユニット設置部１１と、ユニット設置部１１の設置面１１ａとは反対側から設置面１１ａと垂直な方向に延びるユニット取付部１２と、を備える。図２（ｃ）に示すように、ユニット設置部１１は板状であり、平面形状は略正方形である。ユニット取付部１２は、ユニット設置部１１の中央部分から突出する。ユニット設置部１１における４辺の縁には、それぞれ切欠き部１４が設けられている。ユニット設置部１１を高層ホテルの各階の床面に固定する際には、設置面１１ａを床面に当接させる。また、切欠き部１４に、各階の床面から突出するアンカーを貫通させる。そして、ユニット設置部１１とアンカーとを溶接、或いはナットにより締結する。ユニット設置部１１を床面に設置した状態では、ユニット取付部１２は、床面から上方に延びる。
【００３０】
ユニット取付部１２は、設置面１１ａと垂直な方向に一定幅で延びる第１取付板部分１５と、第１取付板部分１５に沿って設置面１１ａと垂直な方向に一定幅で延びる第２取付板部分１６と、を備える。第１取付板部分１５における第２取付板部分１６の側の端と第２取付板部分１６の第１取付板部分１５の側の端とは連続しており、第１取付板部分１５の厚み方向Ｗ１と第２取付板部分１６の厚み方向Ｗ２とは直交する。従って、ユニット取付部１２を、設置面１１ａと垂直な延設方向Ｕから見た場合の形状は、Ｌ字形状である。図２（ａ）に示すように、第１取付板部分１５には、延設方向Ｕで離間する位置に第１穴部１７および第２穴部１８が設けられている。２つの第１穴部１７および第２穴部１８のそれぞれは、延設方向Ｕに延びる長穴である。
【００３１】
（減圧弁ユニット）
図３は減圧弁ユニットの断面図である。減圧弁ユニット３は、流入管２１および当該流入管２１と同軸の流出管２２を有する減圧弁２を備える。また、減圧弁ユニット３は、流入管２１および流出管２２の管軸Ｌに沿ったＸ方向において、減圧弁２を流通する流体の流通方向Ｓの上流側に配置された止水栓２４と、流通方向Ｓの下流側に配置された逆止弁２５と、止水栓２４および逆止弁２５が固定されたベース部材２６と、を有する。ベース部材２６は止水栓２４、減圧弁２、および逆止弁２５の一方側に位置する。減圧弁２は、圧着固定機構２７により、止水栓２４と逆止弁２５との間に着脱可能に固定されている。これにより、止水栓２４は減圧弁２の流入管２１に接続され、逆止弁２５は減圧弁２の流出管２２に接続される。さらに、減圧弁ユニット３は、逆止弁２５に接続された管継手２８を備える。管継手２８は、管軸方向Ｘと交差する方向に湾曲している。本例において、管継手２８は、エルボである。水は、止水栓２４、減圧弁２、逆止弁２５、および管継手２８を、この順に経由して流れる。
【００３２】
ここで、以下の説明では、減圧弁２の流入管２１および流出管２２の管軸Ｌに沿った方向を減圧弁ユニット３の管軸方向Ｘとする。管軸方向Ｘにおいてに止水栓２４が位置する側をＸ１方向とする。管軸方向Ｘにおいて逆止弁２５が位置する側をＸ２方向とする。また、管軸方向Ｘと直交する方向を減圧弁ユニット３の直交方向Ｙとし、管軸方向Ｘおよび直交方向Ｙと直交する方向を減圧弁ユニット３の幅方向Ｚとする。直交方向Ｙは、減圧弁２とベース部材２６とが対向する方向である。直交方向Ｙにおいてベース部材２６が位置する一方側をＹ１方向、減圧弁２が位置する他方側をＹ２方向とする。なお、減圧弁ユニット３がユニット設置部１１に取り付けられた状態では、管軸方向Ｘとユニット取付部１２の延設方向Ｕとは一致する。
【００３３】
（減圧弁）
減圧弁２は、流入管２１と流出管２２とを接続する内部流路３１を有するハウジング３４を備える。図３に示すように、内部流路３１は、直交方向Ｙに延びる流路部分３１ａを備える。流路部分３１ａの途中にはＹ１方向を向く環状の弁座３２が設けられている。また、減圧弁２は、内部流路３１において弁座３２よりも流通方向Ｓの下流側に位置する下流側流路部分３１ｂの壁面の一部分を構成するダイアフラム３３を有する。
【００３４】
ダイアフラム３３は、直交方向Ｙから見た場合に弁座３２と重なる位置に配置されている。図１（ａ）に鎖線で示すように、ダイアフラム３３は、直交方向Ｙから見た場合の輪郭形状が円形であり、外周縁がハウジング３４によって保持されている。また、図３に示すように、ダイアフラム３３は、ハウジング３４内に配置されたコイルバネ３０により、直交方向Ｙにおける所定の位置に支持されている。ダイアフラム３３は、その中央部分が、下流側流路部分３１ｂの流体の圧力に応じて直交方向Ｙに変位する。ここで、図１（ａ）に示すように、減圧弁２は、直交方向Ｙから見たときに、ハウジング３４においてダイアフラム３３を内周側に保持するハウジング部分３４ａの幅が最も広い。
【００３５】
また、減圧弁２は、ダイアフラム３３の中央部分に固定されてＹ１方向に延びるステム３５を備える。ステム３５は、内部流路３１における弁座３２よりも流通方向Ｓの上流側に位置する上流側流路部分３１ｃを経由し、弁座３２を貫通して、その先端部が上流側流路部分３１ｃに達する。ステム３５の先端部（ダイアフラム３３とは反対側に端）には、弁体３６が固定されている。弁体３６は円環状である。弁体３６は、下流側流路部分３１ｂに位置しており、Ｙ１方向の側から弁座３２に対向する。
【００３６】
ダイアフラム３３の中央部分が下流側流路部分３１ｂの流体の圧力に応じて直交方向Ｙに変位すると、ステム３５がダイアフラム３３の変位に伴って直交方向Ｙに変位する。これにより、弁体３６が弁座３２に接近する方向および離間する方向に変位して弁座３２との間の距離を変化させる。すなわち、逆止弁２５は、ダイアフラム３３の変位に伴って弁の開口度を変化させる。これにより、減圧弁２は、当該減圧弁２を通過する水の圧力を所定の圧力に調節する。
【００３７】
（止水栓）
止水栓２４は、本例では、ボール止水栓である。図３に示すように、止水栓２４は、ボール弁体４１と、弁箱４３と、ボール弁体４１を回転させるためのハンドル４２と、を備える。ボール弁体４１は、弁箱４３の内部に区画された弁室４４に収容されている。弁箱４３は、Ｙ１方向の端部分にベース部材２６に固定される止水栓固定部４５を備える。
【００３８】
ハンドル４２は、直交方向Ｙに延びる軸部４２ａを備える。軸部４２ａのＹ１方向の端部はボール弁体４１に固定され、Ｙ２方向の端部分が弁箱４３からＹ２方向に突出している。軸部４２ａのＹ２方向の端部分には摘み部４２ｂが設けられている。止水栓固定部４５は、円柱形状であり、弁箱４３からハンドル４２とは反対方向に突出する。止水栓固定
部４５は外周面に雄ねじ４５ａを備える。
【００３９】
また、止水栓２４は、弁箱４３からＸ１方向に突出する第１接続管４６と、弁箱４３からＸ２方向に延びる第２接続管４７とを備える。さらに、止水栓２４は、管軸方向Ｘに移動可能な状態で第２接続管４７に支持された移動管４８と、移動管４８を管軸方向Ｘで減圧弁２に接近する方向および離間する方向に進退させる移動管移動機構４０と、を備える。移動管移動機構４０は、管軸Ｌ回りに回転可能かつ管軸方向Ｘに移動不能な状態で第２接続管４７の外周側に支持された操作環４９を備える。移動管４８は、第２接続管４７の外周側に当該第２接続管４７と同軸に支持されている。径方向における第２接続管４７と移動管４８との間にはＯリング５０が介在する。また、移動管移動機構４０は、操作環４９の内周面に設けられた雌ねじ４９ａと、移動管４８の外周面に設けられた雄ねじ４８ｂと、を備える。雄ねじ４８ｂは、操作環４９の雌ねじ４９ａと螺合する。従って、操作環４９を管軸Ｌ回りに回転させることにより、移動管４８は管軸方向Ｘの第１方向Ｘ１または第２方向Ｘ２に移動する。
【００４０】
移動管４８は、Ｘ２方向の円環状端面４８ａに円環状の凹部５１を備える。凹部５１の内径寸法は減圧弁２の流入管２１のＸ１方向の端の外形寸法よりも大きい。凹部５１においてＸ２方向を向く環状の底面には、環状溝５２が設けられている。環状溝５２には、環状のガスケット５３が装着されている。凹部５１の底面およびガスケット５３は、減圧弁２の流入管２１の端面が当接する圧着部である。また、移動管４８は、円環状端面４８ａの周方向の一部分からＸ２方向に突出する受け部５４を備える。受け部５４は、円環状端面４８ａにおいて、ベース部材２６が位置する角度位置から突出する。受け部５４は円形状であり、減圧弁２の流入管２１をＹ１方向の側（ベース部材２６の側）から支持する。
【００４１】
（逆止弁）
逆止弁２５は、逆止弁本体６１と、逆止弁本体６１を収容する弁室６２を区画する弁箱６３を備える。また、逆止弁２５は、弁箱６３からＸ１方向に延びる第１接続管６４と、弁箱６３からＸ２方向に延びる第２接続管６５とを備える。弁箱６３は、Ｙ１方向の端部分にベース部材２６に固定される逆止弁固定部６６を備える。
【００４２】
逆止弁固定部６６は弁箱６３からＹ１方向に突出する。逆止弁固定部６６は、円柱形状であり、外周面に雄ねじ６６ａを備える。第１接続管６４は、弁箱６３に着脱可能に取り付けられている。ここで、第１接続管６４を弁箱６３から取り外すと、弁室６２がＸ１方向に向かって解放された状態となり、逆止弁本体６１を交換することが可能となる。
【００４３】
第１接続管６４は、Ｘ１方向の円環状端面６４ａに円環状の凹部６７を備える。凹部６７の内径寸法は減圧弁２の流出管２２のＸ２方向の端の外形寸法よりも大きい。凹部６７においてＸ１方向を向く環状の底面には、環状溝６８が設けられている。環状溝６８には、環状のガスケット６９が装着されている。凹部６７の底面およびガスケット６９は、減圧弁２の流出管２２の端面が当接する圧着部である。また、第１接続管６４は、円環状端面６４ａの周方向の一部分からＸ１方向に突出する受け部７０を備える。受け部７０は、円環状端面６４ａにおいて、ベース部材２６が位置する角度位置から突出する。受け部７０は円形状であり、減圧弁２の流出管２２をＹ１方向の側（ベース部材２６の側）から支持する。
【００４４】
ここで、止水栓２４の第２接続管４７、移動管４８、移動管移動機構４０（操作環４９、操作環４９の雌ねじ４９ａ、移動管４８の雄ねじ４５ａ）、およびガスケット６９、並びに、逆止弁２５の第１接続管６４およびガスケット６９は、止水栓２４と逆止弁２５との間で減圧弁２を着脱可能に接続する圧着固定機構２７を構成する。
【００４５】
また、逆止弁２５は、第２接続管６５の先端部分に袋ナット７１を備える。袋ナット７１は第２接続管６５に回転可能に支持されている。ここで、逆止弁２５の第２接続管６５には、袋ナット７１を利用して、管継手２８が接続されている。
【００４６】
（ベース部材）
次に、ベース部材２６は、止水栓２４、減圧弁２、および逆止弁２５のＹ１方向の側を管軸方向Ｘに延びる。図１（ａ）に示すように、幅方向Ｚにおけるベース部材２６の幅寸法は、減圧弁２においてダイアフラム３３を内周側に保持するハウジング部分３４ａの幅寸法以下である。ベース部材２６は、Ｘ１方向の端部分に位置する止水栓取付部７３と、Ｘ２方向の端部分に位置する逆止弁取付部７４と、管軸方向Ｘに延びて止水栓取付部７３と逆止弁取付部７４とを接続する接続部７２と、を備える。止水栓取付部７３および逆止弁取付部７４は、接続部７２よりもＹ２方向に突出する。止水栓取付部７３および逆止弁取付部７４には、それぞれ直交方向Ｙに貫通する貫通穴７３ａ、貫通穴７４ａが設けられている。止水栓２４は、止水栓固定部４５が貫通穴７３ａに挿入され、止水栓固定部４５の雄ねじ４５ａに螺合するナット７５により、止水栓取付部７３に固定される。逆止弁２５は、逆止弁固定部６６が貫通穴７４ａに挿入され、逆止弁固定部６６の雄ねじ６６ａに螺合するナット７６により、逆止弁取付部７４に固定される。ベース部材２６に止水栓２４、減圧弁２、および逆止弁２５が固定された状態を直交方向Ｙから見た場合には、ベース部材２６と、止水栓２４、減圧弁２、および逆止弁２５と、は重なる。
【００４７】
また、ベース部材２６は、止水栓取付部７３のＹ１方向の端縁からＸ１方向に突出する第１固定板部７７と、逆止弁取付部７４のＹ１方向の端縁からＸ２方向に突出する第２固定板部７８を備える。第１固定板部７７のＸ１方向の端縁には、ボルト固定用の第１切欠き部７７ａ（貫通部）が設けられている。第２固定板部７８分のＸ２方向の端縁には、ボルト固定用の第２切欠き部７８ａ（貫通部）が設けられている。なお、第１切欠き部７７ａおよび第２切欠き部７８ａは、貫通穴としてもよい。
【００４８】
（減圧弁ユニットのユニット設置部への固定）
減圧弁ユニット３は、ネジ固定機構８１により、ユニット取付部１２に固定される。ネジ固定機構８１は、ベース部材２６に設けられた第１切欠き部７７ａおよび第２切欠き部７８ａ、並びに、ユニット取付部１２に設けられた第１穴部１７および第２穴部１８を備える。また、ネジ固定機構８１は、第１切欠き部７７ａおよび第１穴部１７を貫通して延びる第１ボルト８２、第２切欠き部７８ａおよび第２穴部１８を貫通して延びる第２ボルト８３、第１ボルト８２に螺合する第１ナット８４および第２ボルト８３に螺合する第２ナット８５を備える。第１ナット８４は、ベース部材２６における第１切欠き部７７ａの開口縁とユニット取付部１２における第１穴部１７の開口縁とを第１ボルト８２の頭部との間に挟んで、減圧弁ユニット３をユニット設置部材４に固定する。第２ナット８５は、ベース部材２６における第２切欠き部７８ａの開口縁とユニット取付部１２における第２穴部１８の開口縁とを第２ボルト８３の頭部との間に挟んで、減圧弁ユニット３をユニット設置部材４に固定する。
【００４９】
ここで、減圧弁ユニット３がユニット設置部材４に取り付けられた状態では、減圧弁ユニット３の管軸方向Ｘと、ユニット取付部１２の延設方向Ｕとは、一致する。また、直交方向Ｙから見た場合に、ユニット取付部１２は、止水栓２４、逆止弁２５、減圧弁２、およびベース部材２６と重なる。
【００５０】
（減圧弁ユニットの設置、および、減圧弁の交換）
減圧弁ユニット３を設置する際には、図１に示すとおり、まず、ユニット設置部材４を建物の床面に設置する。その後、ネジ固定機構８１により、減圧弁ユニット３をユニット設置部１１を固定する。ここで、ネジ固定機構８１において、ユニット設置部１１に設け
られた第１穴部１７および第２穴部１８は、それぞれユニット取付部１２の延設方向Ｕに延びる長穴である。従って、減圧弁ユニット３を固定する際に、その固定位置を、長穴の範囲で上下方向に移動させて調節できる。
【００５１】
建物の床面に設置されたユニット設置部材４に減圧弁ユニット３を固定すると、減圧弁ユニット３の管軸方向Ｘは上下方向となり、止水栓２４、減圧弁２、逆止弁２５、および管継手２８は、この順に、上下方向に配列される。
【００５２】
次に、止水栓２４の第１接続管４６に分岐配管６を接続する。すなわち、止水栓２４に、分岐配管６において減圧弁ユニット３よりも上流側に位置する上流側配管部分８５を接続する。また、逆止弁２５の第２接続管４７に、分岐配管６において減圧弁ユニット３よりも下流側に位置する下流側配管部分８６を接続する。
【００５３】
なお、予め、減圧弁ユニット３をユニット設置部材４に固定しておき、減圧弁ユニット３が固定されたユニット設置部材４を、建物の床面に設置することもできる。
【００５４】
ここで、減圧弁ユニット３が高層ホテルに設置されて使用されると、減圧弁２のダイアフラム３３は、客室の水道が使用される毎に変位する。従って、ダイアフラム３３には頻繁に負荷がかかる。よって、減圧弁２は、ダイアフラム３３の損傷により、故障する場合がある。
【００５５】
このような場合には、まず、止水栓２４を操作して、上流側配管部分８５から減圧弁２へ流入する水を停止する。次に、止水栓２４の操作環４９を回転させて、移動管４８を減圧弁２から離間するＸ１方向に移動させる。これにより、圧着固定機構２７による減圧弁２の固定をが解除して、減圧弁２を止水栓２４と逆止弁２５との間から取り外す。
【００５６】
その後、新たな減圧弁２を止水栓２４と逆止弁２５との間に配置して、止水栓２４の
受け部５４と逆止弁２５の受け部７０に支持させる。しかる後に、止水栓２４の操作環４９を回転させて、移動管４８を逆止弁２５から接近させるＸ２方向に移動させる。これにより、止水栓２４と逆止弁２５との間に減圧弁２を圧着固定する。その後、止水栓２４を操作する。これにより、水を、上流側配管部分８５から、減圧弁ユニット３を介して、下流側配管部分８６に流通させる。
【００５７】
（作用効果）
本例によれば、分岐配管６の途中に減圧弁２を設置するのに替えて、減圧弁ユニット３を設置できる。また、減圧弁ユニット３を設置する際には、ユニット設置部１１を建物の床面に設置して、減圧弁ユニット３をユニット取付部１２に固定すればよい。従って、減圧弁ユニット３の設置が容易である。さらに、減圧弁ユニット３を設置した状態では、止水栓２４、減圧弁２および逆止弁２５は上下方向に配列される。従って、減圧弁ユニット３の設置スペースを抑制できる。
【００５８】
また、本例では、ネジ固定機構８１により、減圧弁ユニット３をユニット設置部１１に固定する。従って、減圧弁ユニット３のユニット取付部１２への固定が容易である。
【００５９】
さらに、ユニット設置部材４の第１穴部１７および第２穴部１８は、ユニット取付部１２の延設方向Ｕ（管軸方向Ｘ）に延びる長穴である。従って、減圧弁ユニット３をユニット設置部材４に固定する固定位置を、長穴（第１穴部１７および第２穴部１８）の範囲で移動させることができる。
【００６０】
ここで、減圧弁ユニット３では、減圧弁２は、ベース部材２６に固定された止水栓２４
と逆止弁２５との間で着脱可能とされている。また、減圧弁ユニット３は建物の床面に設置されたユニット設置部１１に固定されている。従って、減圧弁２を減圧弁ユニット３から取り外した場合でも、止水栓２４が接続された上流側配管部分８５が不安定になることはなく、逆止弁２５が接続された下流側配管部分８６が不安定になることもない。よって、減圧弁２を交換する際の作業性が良好となる。
【００６１】
また、減圧弁２は、圧着固定機構２７により、止水栓２４と前記逆止弁２５との間に着脱可能に固定されている。圧着固定機構２７によれば、減圧弁２が袋ナットを用いて止水栓２４および逆止弁２５に締結されている場合と比較して、これらの締結を解除することが容易である。また、圧着固定機構２７によれば、減圧弁２が袋ナットを用いて止水栓２４および逆止弁２５に締結される場合と比較して、これらを締結することが容易である。すなわち、本例では、操作環４９を回転させることにより、減圧弁２の着脱を行うことができる。よって、減圧弁２の交換が容易である。なお、圧着固定機構の構成は、上記の例に限られるものではない。
【００６２】
ここで、減圧弁ユニット３は、減圧弁２の上流側に止水栓２４を備えるので、減圧弁２の交換時に止水栓２４を閉じれば、上流側からの水が飛散することがない。また、減圧弁ユニット３は減圧弁２の下流側に逆止弁２５を備えるので、減圧弁２を取り外したときに、下流側からの水が飛散することがない。
【００６３】
また、本例では、逆止弁２５の流通方向Ｓの下流側に接続された管継手２８を有する。従って、減圧弁ユニット３を経由する分岐配管６の方向を曲げることができる。これにより、減圧弁ユニット３よりも下流側に位置する下流側配管部分８６を、建物の床面に沿った方向に配管することが容易となる。
【００６４】
さらに、本例では、減圧弁ユニット３において、ベース部材２６は、止水栓２４、減圧弁２、および逆止弁２５の直交方向ＹのＹ１方向を管軸方向Ｘに延びている。ここで、減圧弁２のダイアフラム３３は、径方向に広がる大きな部材であり、管軸方向Ｘおよび幅方向Ｚに広がっている。従って、ベース部材２６を管軸方向Ｘおよび幅方向Ｚと直交する直交方向Ｙに位置すれば、ベース部材２６がダイアフラム３３の外周縁の位置することを回避できる。よって、減圧弁ユニット３がコンパクトになる。
【００６５】
また、本例では、止水栓２４の幅寸法、逆止弁２５の幅寸法、およびベース部材２６の幅寸法は、ハウジング３４においてダイアフラム３３を内周側に保持するハウジング部分３４ａの幅寸法以下である。また、図１（ａ）に示すように、ベース部材２６は、止水栓２４、逆止弁２５、および減圧弁２と重なっている。従って、減圧弁ユニット３を、コンパクトにできる。
【００６６】
さらに、本例では、減圧弁ユニット３をユニット設置部１１に固定した状態では、止水栓２４の幅寸法、逆止弁２５の幅寸法、ベース部材２６の幅寸法、および、ユニット取付部１２の幅寸法は、ハウジング３４においてダイアフラム３３を内周側に保持するハウジング部分３４ａの幅寸法以下である。そして、図１（ａ）に示すように、直交方向Ｙから見た場合に、ユニット取付部１２は、止水栓２４、逆止弁２５、減圧弁２、およびベース部材２６と重なっている。従って、減圧弁ユニット３をユニット設置部材４に固定した状態でユニット設置部材４を設置したときに、減圧弁ユニット３およびユニット設置部材４が占有する空間を小さくできる。
【００６７】
（他の実施の形態）
図４は変形例１の減圧弁ユニットセットの説明図である。図５は変形例２の減圧弁ユニットセットの説明図である。なお、変形例１の減圧弁ユニットセット１Ａおよび変形例２
の減圧弁ユニットセット１Ｂは、上記の減圧弁ユニットセット１と対応する構成を備えるので、対応する部分には同一の符号を付して、その説明を省略する。
【００６８】
減圧弁ユニットセット１Ａは、第１減圧弁ユニット３Ａおよび第２減圧弁ユニット３Ｂと、第１減圧弁ユニット３Ａおよび第２減圧弁ユニット３Ｂを設置するためのユニット設置部１１と、を有する。
【００６９】
図４に示すように。第１減圧弁ユニット３Ａおよび第２減圧弁ユニット３Ｂは、上記の減圧弁ユニット３と同一である。ユニット設置部１１は、設置面１１ａを備えるユニット設置部１１と、ユニット設置部１１の設置面１１ａとは反対側から当該設置面１１ａと垂直な方向に延びるユニット取付部１２とを備える。ネジ固定機構８１は、ユニット取付部１２に、第１穴部１７、第２穴部１８、第３穴部８７、第４穴部８８を備える。第１穴部１７、第２穴部１８、第３穴部８７、第４穴部８８は、ユニット取付部１２の延設方向Ｕを下方から上方に向かってこの順に設けられている。第１穴部１７、第２穴部１８、第３穴部８７、第４穴部８８のそれぞれは、延設方向Ｕに延びる長穴である。
【００７０】
第１減圧弁ユニット３Ａは、ネジ固定機構８１の第１穴部１７および第２穴部１８を利用して、ユニット取付部１２に固定される。第２減圧弁ユニット３Ｂは、ネジ固定機構８１の第３穴部８７および第４穴部８８を利用して、ユニット取付部１２に固定される。これにより、第１減圧弁ユニット３Ａは、ベース部材２６がユニット取付部１２に固定され、その管軸方向Ｘをユニット取付部１２の延設方向Ｕに向ける。第２減圧弁ユニット３Ｂは、ベース部材２６がユニット取付部１２において延設方向Ｕで第１減圧弁ユニット３Ａとは異なる位置に固定され、その管軸方向Ｘをユニット取付部１２の延設方向Ｕに向ける。
【００７１】
本例によれば、２つの減圧弁ユニット３を、管軸方向Ｘに配列した状態で設置することができるので、これらの設置スペースを抑制できる。
【００７２】
次に、変形例２の減圧弁ユニットセット１Ｂは、第１減圧弁ユニット３Ａおよび第２減圧弁ユニット３Ｂと、第１減圧弁ユニット３Ａおよび第２減圧弁ユニット３Ｂを設置するためのユニット設置部１１と、を有する。図５に示すように、本例では、ユニット設置部１１のユニット取付部１２の第１取付板部分１５に第１減圧弁ユニット３Ａが固定され、第２取付板部分１６に第２減圧弁ユニット３Ｂを固定されている。
【００７３】
すなわち、本例では、ネジ固定機構８１は、第１取付板部分１５に第１穴部１７および第２穴部１８を備えるとともに、第２取付板部分１６に第３穴部８７および第４穴部８８を備える。第１穴部１７および第２穴部１８は、第１取付板部分１５において、延設方向Ｕに配列されている。第３穴部８７および第４穴部８８は、第２取付板部分１６において、延設方向Ｕに配列されている。第１穴部１７、第２穴部１８、第３穴部８７、第４穴部８８のそれぞれは、延設方向Ｕに延びる長穴である。
【００７４】
第１減圧弁ユニット３Ａは、ネジ固定機構８１の第１穴部１７および第２穴部１８を利用して、第１取付板部分１５に固定される。これにより、第１減圧弁ユニット３Ａは、ベース部材２６がユニット取付部１２に固定され、その管軸方向Ｘをユニット取付部１２の延設方向Ｕに向ける。第２減圧弁ユニット３Ｂは、ネジ固定機構８１の第３穴部８７および第４穴部８８を利用して、第２取付板部分１６に固定される。これにより、第２減圧弁ユニット３Ｂは、ベース部材２６がユニット取付部１２に固定され、その管軸方向Ｘをユニット取付部１２の延設方向Ｕに向ける。
【００７５】
本例によれば、第１減圧弁ユニット３Ａと第２減圧弁ユニット３Ｂとが、互いに交差す
る方向を向く第１取付板部分１５および第２取付板部分１６に固定される。従って、２つの減圧弁ユニット３を並列に設置する場合に、それらが占有する空間を小さくできる。
【００７６】
（減圧弁ユニットの別の例）
図６は変形例の減圧弁ユニットの説明図である。図７は変形例の減圧弁ユニットのベース部材の説明である。図６に示すように、本例の減圧弁ユニット３Ｃは、管軸方向Ｘに沿って、止水栓２４、減圧弁２、逆止弁２５をこの順に備える。減圧弁２は、圧着固定機構２７により、止水栓２４と逆止弁２５との間に着脱可能に固定されている。さらに、減圧弁ユニット３Ｃは、逆止弁２５に接続された管継手２８を備える。また、減圧弁ユニット３Ｃは、止水栓２４および逆止弁２５が固定されたベース部材２６を備える。水は、止水栓２４、減圧弁２、逆止弁２５、および管継手２８を、この順に経由して流れる。なお、本例の減圧弁ユニット３Ｃは、上記の減圧弁ユニット３と対応する構成を備えるので、対応する構成には同一の符号を付して、その説明を省略する。
【００７７】
本例では、ベース部材２６は、上記の減圧弁ユニットセット１におけるユニット設置部材４を兼ねる。すなわち、ベース部材２６は、管軸方向Ｘに延びて止水栓２４および逆止弁２５が固定された取付部９１と、取付部９１のＸ２方向の端から外周側に広がる設置部９２と、を備える。設置部９２は、取付部９１とは反対側の端面が管軸Ｌと垂直な設置面９２ａとされている。
【００７８】
より具体的には、減圧弁ユニット３Ｃのベース部材２６は、設置面９２ａを備える設置部９２と、設置部９２の設置面９２ａとは反対側から当該設置面９２ａと垂直な方向に延びる取付部９１と、を備える。取付部９１は、止水栓２４、減圧弁２、逆止弁２５、および管継手２８の一方側で減圧弁２の管軸方向Ｘに延びる。
【００７９】
図７に示すように、設置部９２は板状であり、平面形状は略正方形である。取付部９１は、設置部９２の中央部分から突出する。設置部９２における４辺の縁には、それぞれ切欠き部１４が設けられている。設置部９２を高層ホテルの各階の床面に固定する際には、設置面９２ａを床面に当接させる。また、切欠き部１４に、各階の床面から突出するアンカーを貫通させる。そして、設置部９２とアンカーとを溶接、或いはナットにより締結する。設置部９２を床面に設置した状態では、取付部９１は、床面から上方に延びる。
【００８０】
取付部９１は、管軸方向Ｘに一定幅で延びる取付板部９４と、取付板部９４の幅方向Ｚの一方側で取付板部９４に沿って管軸方向Ｘに延びる第１側板部９５を備える。第１側板部９５は取付板部９４の幅方向Ｚの一方側の端縁から取付板部９４と直交する方向に突出する。また、取付部９１は、取付板部９４の幅方向Ｚの他方側で取付板部９４に沿って管軸方向Ｘに延びる第２側板部９６を備える。第２側板部９６は取付板部９４の幅方向Ｚの他方側の端縁から取付板部９４と直交する方向に突出し、第１側板部９５と対向する。従って、取付部９１を設置面９２ａと垂直な延設方向Ｕから見た場合の形状は、コの字形状である。
【００８１】
取付板部９４は、管軸方向Ｘの途中に、Ｙ２方向に突出する突出部分９７を備える。突出部分９７は、Ｙ２方向に屈曲して延びる第１屈曲板部分９８と、屈曲板部分のＹ２方向の端からＸ２方向に延びる台座板部分９９と、台座板部分９９のＸ２方向の端部分からＹ１方向に屈曲して延びる第２屈曲板部分１００と、を備える。台座板部分９９は、Ｘ１方向の端部分に止水栓２４を固定するための止水栓固定部１０１を備える。また、台座板部分９９は、Ｘ１方向の端部分に逆止弁２５を固定するための逆止弁固定部１０２を備える。止水栓固定部１０１および逆止弁固定部１０２は、台座板部分９９に設けられた穴である。さらに、台座板部分９９は、管軸方向Ｘで止水栓固定部１０１と逆止弁固定部１０２との間に、開口部１０３を備える。
【００８２】
減圧弁２、逆止弁２５、および管継手２８は、上記の減圧弁ユニット３を同一の構成を備える。
【００８３】
止水栓２４は、弁箱６３からＸ１方向に突出する第１接続管４６と、弁箱６３からＸ２方向に延びる第２接続管４７と、を備える。第２接続管４７は、弁箱６３から延びる延設管１０４と、袋ナット１０５を介して延設管１０４のＸ２方向に同軸に接続された連結管１０６を備える。
【００８４】
また、止水栓２４は、管軸方向Ｘに移動可能な状態で第２接続管４７（連結管１０６）の内周側に支持された移動管１０７を備える。移動管１０７は、Ｘ２方向（減圧弁２の側）の端部分が第２接続管４７から突出する。径方向における第２接続管４７と移動管１０７との間にはＯリング５０が介在している。また、止水栓２４は、移動管１０７を管軸方向Ｘで減圧弁２に接近する方向および離間する方向に進退させる移動管移動機構４０を備える。移動管移動機構４０は、移動管１０７におけるＸ２方向の端部分から外周側に突出する操作部１０８と、連結管１０６の内周面に設けられた雌ねじ１０６ａと、移動管１０７の外周面に設けられ雌ねじ１０６ａと螺合する雄ねじ１０７ａと、を備える。従って、操作部１０８を管軸Ｌ回りに回転させることにより、移動管１０７は管軸方向Ｘの一方側または他方側に移動する。
【００８５】
ここで、第２接続管４７の連結管１０６には、止水栓固定部４５が設けられている。止水栓固定部４５は、連結管１０６からＹ２方向に突出する。止水栓固定部４５は円柱形状であり、外周面に雄ねじ４５ａを備える。
【００８６】
移動管１０７は、Ｘ２方向の円環状端面１０７ｂに円環状の凹部１１１を備える。凹部１１１の内径寸法は減圧弁２の流入管２１のＸ１方向の端の外形寸法よりも大きい。凹部１１１においてＸ２方向を向く環状の底面には、環状溝１１２が設けられている。環状溝１１２には、環状のガスケット１１３が装着されている。凹部１１１の底面およびガスケット１１３は、減圧弁２の流入管２１の端面が当接する圧着部である。
【００８７】
ここで、止水栓２４の第２接続管４７、移動管１０７、移動管移動機構４０（操作部１０８、第２接続管４７の雌ねじ４９ａ、移動管１０７の雄ねじ１０７ａ）、およびガスケット１１３、並びに、逆止弁２５の第１接続管６４およびガスケット６９は、止水栓２４と逆止弁２５との間で減圧弁２を着脱可能に接続する圧着固定機構２７を構成する。
【００８８】
止水栓２４は、止水栓固定部４５がベース部材２６の止水栓固定部１０１に挿入され、止水栓固定部４５に螺合するナットによりベース部材２６に固定される。また、逆止弁２５は、逆止弁固定部６６がベース部材２６の逆止弁固定部１０２に挿入され、逆止弁固定部６６に螺合するナットによりベース部材２６に固定される。また、減圧弁２は、圧着固定機構２７により、止水栓２４と逆止弁２５との間に固定される。
【００８９】
ここで、取付板部９４の開口部１０３は、減圧弁２のハウジング３４におけるＹ１側の端部分を受け入れる。また、取付板部９４の開口部１０３は、止水栓２４の移動管１０７を移動させるために操作部１０８を管軸Ｌ回りで移動させたときに、操作部１０８の外周側部分を受け入れ可能である。
【００９０】
本例によれば、減圧弁ユニット３Ｃのベース部材２６が、管軸方向Ｘと直交する設置面９２ａを有する設置部９２を備える。したがって、設置面９２ａを高層ホテルなどの建物の床面に当接させて設置部９２を設置することにより、減圧弁ユニット３Ｃを建物に設置できる。また、止水栓２４、減圧弁２および逆止弁２５を上下方向に配列した姿勢で、減
圧弁２を設置できる。従って、減圧弁２の設置スペースを抑制できる。
【符号の説明】
【００９１】
１・１Ａ・１Ｂ…減圧弁ユニットセット、２…減圧弁、３・３Ａ・３Ｂ・３Ｃ…減圧弁ユニット、４…ユニット設置部材、６…分岐配管、１１…ユニット設置部、１１ａ…設置面、１２…ユニット取付部、１４…切欠き部、１５…第１取付板部分、１６…第２取付板部分、１７…第１穴部、１８…第２穴部、２１…流入管、２２…流出管、２４…止水栓、２５…逆止弁、２６…ベース部材、２７…圧着固定機構、２８…管継手、３０…コイルバネ、３１…内部流路、３１ａ…流路部分、３１ｂ…下流側流路部分、３１ｃ…上流側流路部分、３２…弁座、３３…ダイアフラム、３４…ハウジング、３４ａ…ハウジング部分、３５…ステム、３６…弁体、４０…移動管移動機構、４１…ボール弁体、４２…ハンドル、４２ａ…軸部、４２ｂ…摘み部、４３…弁箱、４４…弁室、４５…止水栓固定部、４６…止水栓の第１接続管、４７…止水栓の第２接続管、４８…移動管、４８ａ…円環状端面、４８ｂ…雄ねじ、４９…操作環、４９ａ…雌ねじ、５０…Ｏリング、５１…凹部、５２…環状溝、５３…ガスケット、５４…受け部、６１…逆止弁本体、６２…弁室、６３…弁箱、６４…逆止弁の第１接続管、６４ａ…円環状端面、６５…逆止弁の第２接続管、６６…逆止弁固定部、６７…凹部、６８…環状溝、６９…ガスケット、７０…受け部、７１…袋ナット、７２…接続部、７３…止水栓取付部、７３ａ…貫通穴、７４…逆止弁取付部、７４ａ…貫通穴、７５・７６…ナット、７７…第１固定板部、７７ａ…第１切欠き部、７８…第２固定板部、７８ａ…第２切欠き部、８１…ネジ固定機構、８２…第１ボルト、８３…第２ボルト、８４…第１ナット、８５…第２ナット、８５…上流側配管部分、８６…下流側配管部分、８７…第３穴部、８８…第４穴部、９１…取付部、９２…設置部、９２ａ…設置面、９４…取付板部、９５…第１側板部、９６…第２側板部、９７…突出部分、９８…第１屈曲板部分、９９…台座板部分、１００…第２屈曲板部分、１０１…止水栓固定部、１０２…逆止弁固定部、１０３…開口部、１０４…延設管、１０５…袋ナット、１０６…連結管、１０７…移動管、１０７ｂ…円環状端面、１０８…操作部、１１１…凹部、１１２…環状溝、１１３…ガスケット
【図１】
2020035298.tif 000003
【図２】
2020035298.tif 000004
【図３】
2020035298.tif 000005
【図４】
2020035298.tif 000006
【図５】
2020035298.tif 000007
【図６】
2020035298.tif 000008
【図７】
2020035298.tif 000009